(57)【要約】【課題】ショルダーストラップの垂れ下がり防止できるショルダーストラップ用垂れ下がり防止具を提供する。【解決手段】ショルダーストラップ１の一面側に防止具本体２を配置する。防止具本体２に開口４を形成しておく。防止具本体２の一面側にショルダーストラップ１を挿通させて環状部３を形成する。無負荷時には引出部材５により、防止具本体２の開口４から環状部３を引き出す。負荷時には被吊持物を持ち上げたときの負荷により、環状部３が防止具本体２の開口４に引き戻される。【選択図】  図３
2004242742.tif 000002
【特許請求の範囲】
【請求項１】
鞄などの被吊持物のショルダーストラップの垂れ下がりを防止するためのショルダーストラップ用垂れ下がり防止具において、前記ショルダーストラップの一面側に配された防止具本体に、その一面側にショルダーストラップを挿通させて環状部を形成するための開口が形成され、前記環状部は、無負荷時に引出部材により前記開口から引き出され、被吊持物を持ち上げたときの負荷により前記開口に引き戻されることを特徴とするショルダーストラップ用垂れ下がり防止具。
【請求項２】
鞄などの被吊持物のショルダーストラップの垂れ下がりを防止するためのショルダーストラップ用垂れ下がり防止具において、前記ショルダーストラップの中央付近と被吊持物とのいずれか一方に止着部が設けられ、他方に、前記止着部を止着するための受け部が設けられたことを特徴とするショルダーストラップ用垂れ下がり防止具。
【請求項３】
鞄などの被吊持物のショルダーストラップの垂れ下がりを防止するためのショルダーストラップ用垂れ下がり防止具において、前記ショルダーストラップに心材が内装され、該心材は、無負荷時にショルダーストラップが床などに触れないように癖付けされ、被吊持物を持ち上げたときの負荷により緊張可能とされたことを特徴とするショルダーストラップ用垂れ下がり防止具。
【請求項４】
前記心材は、被吊持物にねじれ状態で取り付けられ、無負荷時にショルダーストラップの中央付近に環状部が形成されることを特徴とする請求項３記載のショルダーストラップ用垂れ下がり防止具。
【発明の詳細な説明】
【０００１】
【発明の属する技術分野】
本発明は、鞄などの被吊持物のショルダーストラップの垂れ下がりを防止するためのショルダーストラップ用垂れ下がり防止具に関するものである。
【０００２】
【従来の技術】
一般に、鞄（ショルダーバッグ）やクーラーボックスなどの被吊持物には、肩に掛けて持ち運びするためのショルダーストラップが取り付けられている。図１２にショルダーストラップを有する鞄の斜視図を示す。この鞄１０１のショルダーストラップ１０２は、長さ調節金具１０３により、持ち運びしやすい長さに調節するようになっている。
【０００３】
【発明が解決しようとする課題】
ところで、ショルダーストラップは、肩に掛けて持ち運びしやすいように、鞄本体の大きさに対して長めに調節されることが多い。そのため、鞄を床に置くことによりショルダーストラップが垂れ下がり、肩に掛ける部分が床に触れて不潔になりやすい。しかし、鞄を床に置く度に、長さ調節金具により、ショルダーストラップの長さを調節するのは面倒である。
【０００４】
本発明は、ショルダーストラップの垂れ下がりを防止することができるショルダーストラップ用垂れ下がり防止具を提供することを目的とする。
【０００５】
【課題を解決するための手段】
上記課題に鑑み、本発明は、鞄などの被吊持物のショルダーストラップの垂れ下がりを防止して、ショルダーストラップが床などに触れないようにするためのショルダーストラップ用垂れ下がり防止具を提供するものである。なお、被吊持物としては、鞄以外にもクーラーボックスなどどのようなものであってもよく、１本だけでなく複数本のショルダーストラップを取り付けたものを含む。また、ショルダーストラップは、肩に掛けるもの以外にも手に持って被吊持物を持ち運びするように設定されたものを含む。
【０００６】
具体的な構成としては、ショルダーストラップの一面側に配する防止具本体に、その一面側にショルダーストラップを挿通させて環状部を形成するための開口を形成する。無負荷時には、防止具本体の開口から引出部材により環状部を引き出すようにして、負荷時には、被吊持物を持ち上げたときの負荷により環状部を防止具本体の開口に引き戻すようにする。
【０００７】
この構成によれば、被吊持物を床などに置くとき、防止具本体の一面側にショルダーストラップの環状部を形成することにより、ショルダーストラップの垂れ下がりを防止することができる。被吊持物を持ち運びするときには、ショルダーストラップに作用する負荷により環状部が引き戻されるので、環状部を戻すように操作することなく、ショルダーストラップを所定の長さにすることができる。
【０００８】
なお、一面側とは、ショルダーストラップの中心線に直交する方向のうちの一方向のことであり、ショルダーストラップを必ずしも表面及び裏面を有する帯状のものに限定する必要はない。
【０００９】
別の構成としては、ショルダーストラップの中央付近と被吊持物とのいずれか一方に止着部を設けて、この止着部を他方に設けた受け部に止着することにより、ショルダーストラップの垂れ下がりを防止してもよい。なお、止着手段としては、マグネットや面ファスナー、ボタン、フックを例示することができる。
【００１０】
また、別の構成としては、ショルダーストラップに心材を内装して、無負荷時にショルダーストラップが床などに触れないように心材に癖付けしてもよい。この場合、被吊持物を持ち上げたときに作用する負荷により心材を緊張可能とすれば、心材の癖付けにより、被吊持物の持ち運びに支障がないようにすることができる。
【００１１】
具体的には、心材を被吊持物にねじれ状態で取り付けて、無負荷時にショルダーストラップの中央付近に環状部が形成されるようにする。つまり、心材をねじっておくことにより、無負荷時には、ストラップが互いに巻き付くようにして、その中央付近に環状部が形成される。これにより、ストラップの中央付近が浮き上がって床などに触れないようにすることができる。
【００１２】
以上の構成はいずれも、被吊持物を床などに置くとき、ショルダーストラップの垂れ下がりを防止して床に触れないようにし、被吊持物を持ち上げるとき、ショルダーストラップを所定の形状に戻して肩に掛けて持ち運びやすくすることができる。
【００１３】
【発明の実施の形態】
以下、本発明に係るショルダーストラップ用長さ調節具の実施の形態について、図面を用いて説明する。このショルダーストラップ用垂れ下がり防止具は、鞄（ショルダーバッグ）などの被吊持物を床などに置いたとき、ショルダーストラップ１の垂れ下がりを防止して床などに触れないようにし、被吊持物を持ち上げたとき、ショルダーストラップ１を所定の状態に戻して持ち運びしやすくするものである。
【００１４】
なお、被吊持物としては、鞄以外にもクーラーボックスなどどのようなものであってもよく、１本だけでなく複数本のショルダーストラップ１を取り付けたものでもよい。また、ショルダーストラップ１は、肩に掛けるもの以外にも手に持って被吊持物を持ち運びするようにしてもよい。
【００１５】
［第一実施形態］  図１は本発明の第一実施形態のショルダーストラップ用垂れ下がり防止具の斜視図、図２（ａ）は引出部材の斜視図、図２（ｂ）は防止具本体の斜視図である。
【００１６】
このショルダーストラップ用垂れ下がり防止具は、ショルダーストラップ１の一面側に配された防止具本体２と、この防止具本体２の一面側にショルダーストラップ１を挿通させて環状部３を形成するための開口４と、開口４から環状部３を引き出すための引出部材５とを備えている。
【００１７】
ショルダーストラップ１は、例えば布製の帯状とされて、被吊持物の上部の長手方向両側に取り付けられ、その外面側（一面側）に防止具本体２及び引出部材５が装着されている。
【００１８】
防止具本体２は、例えば合成樹脂板や金属板からなり、その中央に形成された開口４を仕切材６により開口４ａ、４ｂに仕切られた略日字形とされる。この防止具本体２は、切り込み２ａから開口４ａ、４ｂにショルダーストラップ１を引き込むことによりショルダーストラップ１に後付けされ、仕切材６を跨ぐようにして開口４ａ、４ｂにショルダーストラップ１が挿通する。
【００１９】
引出部材５は、例えば合成樹脂板や金属板からなり、その中央にショルダーストラップ１に係合する係合材７が形成された略日字形とされる。この引出部材５は、切り込み５ａから挿通口８ａ、８ｂにショルダーストラップ１を引き込むことによりショルダーストラップ１に後付けされ、係合材７を跨ぐようにしてその両側の挿通口８ａ、８ｂにショルダーストラップ１が挿通する。
【００２０】
次に、このショルダーストラップ用垂れ下がり防止具を用いてショルダーストラップ１の垂れ下がりを防止する手順を説明する。まず、図３に示すように、被吊持物を床などに置いたときなどの無負荷時に、防止具本体２から引出部材５を離間させることにより、引出部材５の係合材７がショルダーストラップ１を引き出して、防止具本体２の開口４から環状部３を引き出す。
【００２１】
開口４を仕切材６で開口４ａ、４ｂに仕切っているので、ショルダーストラップ１と防止具本体２との間に所望の摩擦を確保して、無負荷時には環状部３を維持できるようになっている。環状部３を形成することにより、ショルダーストラップ１が防止具本体２の位置で迂回して、その垂れ下がりが防止され、床などに触れないようになる。
【００２２】
被吊持物を持ち上げたときなどには、ショルダーストラップ１に作用する負荷により、防止具本体２に引出部材５を近接させるように、ショルダーストラップ１と防止具本体２との摩擦に抗して環状部３が開口４に引き戻される。これにより、ショルダーストラップ１が所定の状態に戻り、被吊持物の持ち運びに支障がないようになる。
【００２３】
なお、本実施形態は、ショルダーストラップ１を挿通させる開口が形成された防止具本体と、開口から環状部３を引き出すための引出部材とを備えたものであればよく、例えば、防止具本体２及び引出部材５に切り込み２ａ、５ａを形成することなく、防止具本体２及び引出部材５をあらかじめショルダーストラップ１に装着しておくようにしてもよい。
【００２４】
また、図４に示すように、引出部材５から係合材７ａを取り外し可能とすることにより、引出部材５をショルダーストラップ１に後付けできるようにしてもよい。このとき、防止具本体２には切り込み２ａを形成しておく。後付けするための構成としては、これ以外にも種々のものを採用可能である。
【００２５】
［第二実施形態］  図５は本発明の第二実施形態のショルダーストラップ用垂れ下がり防止具の斜視図であり、（ａ）は持ち運びするとき、（ｂ）は床などに置くときを示す。
【００２６】
このショルダーストラップ用垂れ下がり防止具は、ショルダーストラップ１の中央付近に設けられた止着部１１と、被吊持物１２のいずれかの部位に設けられて止着部１１を止着する受け部１３とを備えている。
【００２７】
止着部１１は、マグネットからなる突起とされ、ショルダーストラップ１にあらかじめ取り付けられる。受け部１３は、金属製とされて縫い付けなどにより被吊持物１２にあらかじめ取り付けられ、止着部１１と磁力によって留め合わされる。
【００２８】
図５（ａ）に示すように、被吊持物１２を持ち運びするとき、止着部１１と受け部１３との止着を解除する。図５（ｂ）に示すように、被吊持物１２を床などに置くとき、止着部１１を受け部１３に止着し、ショルダーストラップ１の垂れ下がりを防止して、床などに触れないようにする。
【００２９】
なお、本実施形態は、ショルダーストラップ１の中央付近と被吊持物１２とのいずれか一方に止着部１１が設けられ、他方に受け部１３が設けられたものであればよく、適宜変更を加えることができる。例えば、被吊持物１２に止着部１１としてのマグネットを取り付け、ショルダーストラップ１の中央付近に金属製の受け部１３を取り付けてもよく、止着部１１及び受け部１３を共にマグネットで構成してもよい。
【００３０】
図６に示すように、止着部１１をショルダーストラップ１に後付けするようにしてもよい。この場合、止着部１１を開閉自在な二つ折り構造の止着部保持体１１ａで保持し、この止着部保持体１１ａを折り畳んでショルダーストラップ１を挟みつけるようにして取り付ける構成を例示できる。止着部１１を後付けすることにより、各人が止着部１１の位置を適宜調節することができる。
【００３１】
また、針金やピンなどを用いることにより、受け部１３を被吊持物１２に後付けするようにしてもよい。止着部１１及び受け部１３を共に後付けとすることにより、これらを既製の鞄などにも取り付けることができる。
【００３２】
止着部１１と受け部１３とは、マグネットだけでなく、フックやボタン、面ファスナーなど、どのようなものであってもよい。例えば図７に示すように、ショルダーストラップ１の中央付近に、止着部１１としてのフックを取り付け、被吊持物１２に、受け部１３としてフックを止着する開口を取り付けてもよい。図８に示すように、ショルダーストラップ１の中央付近に受け部１３としての開口を取り付け、被吊持物１２に止着部１１としてのフックを取り付けてもよい。
【００３３】
図９は、止着部１１を肩当てパット１４の表側面（肩に当てる面と反対側の面）に組み込んだものであり、その外観をすっきりさせている。図６、図７、図８及び図９において、（ａ）は持ち運びするときを示し、（ｂ）は床などに置くときを示す。
【００３４】
止着部１１及び受け部１３は、一対のものに限らず、二対以上のものを採用してもよく、これにより、より効果的にショルダーストラップ１の垂れ下がりを防止することができる。
【００３５】
［第三実施形態］  図１０は本発明の第三実施形態のショルダーストラップ用垂れ下がり防止具を備えた被吊持物の斜視図で、図１１は被吊持物を床などに置いたときの斜視図である。
【００３６】
この被吊持物１２は、手に持つように２本のショルダーストラップ１を備え、このショルダーストラップ１に内装された心材１５がショルダーストラップ用垂れ下がり防止具とされる。
【００３７】
心材１５は、被吊持物１２にねじれ状態で取り付けられている。これにより、無負荷時に、ショルダーストラップ１の中央付近に環状部３が形成され、ショルダーストラップ１の中央付近が浮き上がって床などに触れないように癖付けされている。心材１５は、柔軟性を有するように形成され、被吊持物１２を持ち上げたとき、ショルダーストラップ１に作用する負荷により緊張可能とされて、被吊持物１２の持ち運びに支障がないようになっている。
【００３８】
なお、本実施形態は、無負荷時にショルダーストラップ１が床などに触れないように心材１５を癖付けし、その心材１５が被吊持物１２を持ち上げたときの負荷により緊張可能であればよく、例えば無負荷時にショルダーストラップ１が上下に蛇行するように、心材１５を癖付けしてもよい。
【００３９】
【発明の効果】
以上の説明から明らかな通り、本発明によると、被吊持物を床などに置くとき、ショルダーストラップの垂れ下がりを防止することができるため、ショルダーストラップが床などに触れないようにすることができ、ショルダーストラップを清潔に保つことができる。一方、被吊持物を持ち運びするとき、ショルダーストラップを簡単に所定の状態に戻すことができ、被吊持物の持ち運びへの支障をなくすことができる。
【図面の簡単な説明】
【図１】本発明の第一実施形態のショルダーストラップ用垂れ下がり防止具の斜視図
【図２】（ａ）は引出部材の斜視図、（ｂ）は防止具本体の斜視図
【図３】ショルダーストラップの垂れ下がりを防止する様子を示す斜視図
【図４】（ａ）は別の形態の引出部材の斜視図、（ｂ）は防止具本体の斜視図
【図５】本発明の第二実施形態のショルダーストラップ用垂れ下がり防止具の斜視図であり、（ａ）は持ち運びするとき、（ｂ）は床などに置くときを示す
【図６】止着部を後付けにしたショルダーストラップ用垂れ下がり防止具の斜視図であり、（ａ）は持ち運びするとき、（ｂ）は床などに置くときを示す
【図７】止着部をフックにしたショルダーストラップ用垂れ下がり防止具の斜視図であり、（ａ）は持ち運びするとき、（ｂ）は床などに置くときを示す
【図８】受け部をフックにしたショルダーストラップ用垂れ下がり防止具の斜視図であり、（ａ）は持ち運びするとき、（ｂ）は床などに置くときを示す
【図９】止着部を肩当てパットに組み込んだショルダーストラップ用垂れ下がり防止具の斜視図であり、（ａ）は持ち運びするとき、（ｂ）は床などに置くときを示す
【図１０】本発明の第三実施形態のショルダーストラップ用垂れ下がり防止具を備えた被吊持物の斜視図
【図１１】被吊持物を床などに置いたときの斜視図
【図１２】従来の鞄の斜視図
【符号の説明】
１    ショルダーストラップ
２    防止具本体
３    環状部
４    開口
５    引出部材
１１  止着部
１２  被吊持物
１３  受け部
１５  心材
【図１】
2004242742.tif 000003
【図２】
2004242742.tif 000004
【図３】
2004242742.tif 000005
【図４】
2004242742.tif 000006
【図５】
2004242742.tif 000007
【図６】
2004242742.tif 000008
【図７】
2004242742.tif 000009
【図８】
2004242742.tif 000010
【図９】
2004242742.tif 000011
【図１０】
2004242742.tif 000012
【図１１】
2004242742.tif 000013
【図１２】
2004242742.tif 000014